(57)【特許請求の範囲】
【請求項１】
吹出口から室内に吹き出される空調風の吹出風向を調整するルーバを上記吹出口に設置してなる空気調和機において、上記吹出口を限界するパネルに上記ルーバ及びその揺動機構を支持するカラーを嵌合設置する嵌合部を設け、この嵌合部と上記カラーとの間に適宜厚さのスペーサを挿入することにより上記ルーバの吹出口における位置を調整可能としたことを特徴とする空気調和機。
【請求項２】
吹出口から室内に吹き出される空調風の吹出風向を調整するルーバを上記吹出口に設置してなる空気調和機において、上記ルーバをルーバモータの回転軸に固定された溝付きカム、このカムの溝に係合する球状突起を具備するリンク等からなる揺動機構を介して揺動させるとともに上記カムの両面にそれぞれ偏心量の異なる溝を設け、このカムの上記回転軸への取り付け方向を選択することによって上記ルーバの揺動角度範囲を変更可能としたことを特徴とする空気調和機。
【発明の詳細な説明】
【０００１】
【発明の属する技術分野】
本発明は吹出口から室内に吹き出される空調風の吹出風向を調整するルーバを吹出口に設置してなる空気調和機に関する。
【０００２】
【従来の技術】
従来の天井埋込型空気調和機の１例が図４ないし図８に示されている。図４に示すように、天井１に埋め込んで設置されたケース本体２の内部には熱交換器７、ドレンパン１０、モータ５、送風機６、導風板１２等が内蔵され、このケース本体２の下部に天井パネル８が装着されている。
【０００３】
この天井パネル８の中央部には図５に示されるように吸込口３が形成され、この吸込口３に隣接してその外側に長方形状の吹出口４が形成されている。そして、各吹出口４にはその長さ方向に伸びるルーバ１４が設置されている。
【０００４】
ルーバ１４の両端は図７に示すように、サポート１５の内面に形成された鍔１６内に嵌合固定され、このサポート１５はその外面から外方に突出する軸１７まわりに回動可能にパネル８に支持されている。
【０００５】
ルーバ１４の揺動機構が図８に示され、（Ａ）は上面図、（Ｂ）は（Ａ）のＢ−Ｂ線に沿う断面図である。ルーバモータ３０の回転軸３２の先端にはカム３３がナット３１によって固定されている。このカム３３の下面にはその回転中心から若干の距離偏心した円形の溝３４が穿設され、この溝３４内にはリンク３５の中央上部から上方に突出する球状突起３６が摺動、かつ、首振自在に係合している。
【０００６】
リンク３５の両端は自在継手３７を介してパネル８に回転自在に軸支された継手３８の一端に連結され、この継手３８の他端にはルーバ１４のサポート１５の外面から外方に突出する軸１７が嵌合係止されている。
【０００７】
しかして、ルーバモータ３０を駆動すると、その回転軸３２及びこれに固着されたカム３３が回転する。これに伴って、このカム３３の溝３４内を球状突起３６が摺動しながら首振運動することによってリンク３５がその軸芯まわりに所定の角度範囲内で往復回転し、この往復回転は自在継手３７、継手３８、軸１７、サポート１５を介してルーバ１４に伝達され、ルーバ１４は軸１７まわりに所定の角度範囲内で往復揺動する。
【０００８】
この空気調和機の運転時、図示しない室外ユニットからの冷媒が熱交換器７を循環し、モータ５によって送風機６が駆動される。すると、室９内の室内空気が吸込口３から吸込グリル１１、フィルタ１３を通り、導風板１２に案内されて送風機６に吸入されて付勢される。
【０００９】
そして、熱交換器７を流過する過程で冷却又は加熱されることにより調和空気となってケース本体２側の長方形状の流路２５及びパネル８に形成され流路２５より長い長方形状の流路２６を通って吹出口４に導かれ、ルーバ１４によって吹出風向を調整されて吹出口４から室９内に吹き出される。
【００１０】
【発明が解決しようとする課題】
上記従来の空気調和機においては、ルーバ１４は揺動機構によって駆動されることにより軸１７まわりに所定の角度範囲内で往復揺動し又は所定の角度で停止して空調風の吹出風向を調整しているので、吹出風向はルーバ１４の吹出口における位置に応じて一義的に決まる。
【００１１】
従って、天井面に空調風が当たることに基く天井面の汚れを防止する、冷風が在室者に吹出き付けることによるドラフトを防止する、空調風を室内の遠方に到達させる、等の理由により空気調和機の室内における据付け場所に応じて吹出風向を変えることをユーザから要求された場合、その要求に応じることができなかった。
【００１２】
【課題を解決するための手段】
本発明は上記課題を解決するために発明されたものであって、第１の発明の特徴とするところは、吹出口から室内に吹き出される空調風の吹出風向を調整するルーバを上記吹出口に設置してなる空気調和機において、上記吹出口を限界するパネルに上記ルーバ及びその揺動機構を支持するカラーを嵌合設置する嵌合部を設け、この嵌合部と上記カラーとの間に適宜厚さのスペーサを挿入することにより上記ルーバの吹出口における位置を調整可能としたことにある。
【００１３】
この第１の発明においては、嵌合部とカラーとの間にスペーサを挿入し又はこのスペーサを取り外すことによってルーバの吹出口における上下位置を変更できる。
【００１４】
第２の発明の特徴とするところは、上記ルーバをルーバモータの回転軸に固定された溝付きカム、このカムの溝に係合する球状突起を具備するリンク等からなる揺動機構を介して揺動させるとともに上記カムの両面にそれぞれ偏心量の異なる溝を設け、このカムの上記回転軸への取り付け方向を選択することによって上記ルーバの揺動角度範囲を変更可能としたことにある。
【００１５】
この第２の発明においては、カムの回転軸への取付方向を変更して偏心量の異なる溝のいずれか一方にリンクの球状突起を係合させることによりリンクの揺動角度範囲、即ち、ルーバの揺動角度範囲が変化する。
【００１６】
【発明の実施の形態】
本発明の第１の実施形態が図１に示されている。図１（Ａ）に示すように、パネル８が長方形の吹出口４の両端壁を構成する部分には嵌合部２０が形成され、この嵌合部２０に適宜厚さのスペーサ２１を介してカラー１８が嵌合されている。このカラー１８には継手３８が回動自在に支持されている。
【００１７】
しかして、図１（Ｂ）に示すように、カラー１８を直接嵌合部２０に嵌合し、その上にスペーサ２１を載置すると、カラー１８が図１（Ａ）に示す状態よりスペーサ２１の厚さ分だけ下降し、これに伴って継手１８に連結されているルーバ１４やルーバモータ３０、カム３３、リンク３５等の揺動機構が下降し、ルーバ１４の吹出口４における位置が下降する。
【００１８】
かくして、吹出口４から吹き出される空調風はルーバ１４の角度が同じであれば、図１（Ａ）の場合よりも下方に向かって室９内に吹き出される。
【００１９】
本発明の第２の実施形態が図２に示されている。この第２の実施形態においては、サポート１５にルーバ１４の端部幅より広幅の溝２２が形成されている。
【００２０】
しかして、ルーバ１４の端部を溝２２内に挿入しこの溝２２内を移動してビス２３により任意の位置に係止することによってルーバ１４の吹出口４における位置を変更することができる。即ち、ルーバ１４を図示のように溝２２内の下端位置に係止すれば、上端位置に係止した場合よりも下方に向かって空調風を吹き出すことができる。
【００２１】
また、ルーバ１４の両端を支持するサポート１５にルーバ１４の端部幅より広幅の溝２２を形成し、この溝２２内でルーバ１４の端部を移動させることによりルーバ１４の吹出口４における位置を調整できるので、溝内でルーバ１４の端部を移動して任意の位置に係止することによってルーバ１４の吹出口４における位置を容易に変更できる。
【００２２】
本発明の第３の実施形態が図３に示されている。この第３の実施形態においては、カム３３の下面に穿設された溝３４より偏心量が小さい溝４０がカム３３の上面に穿設されている。他の構成は図６に示すものと同様である。
【００２３】
しかして、カム３３を逆向にしてルーバモータ３０の回転軸３２に固定し、溝４０内に球状突起３６を係合させれば、溝３４内に球状突起３６を係合させた場合に比しリンク３５の揺動角度範囲が小さくなるので、ルーバ１４の揺動角度範囲も小さくなる。
【００２４】
また、上記各実施形態のものにおいては、ルーバ１４の吹出口４における位置を変更自在としたため、空気調和機の室内における据付位置に応じて空調風の吹出方向を変化させることができるので、ユーザの多用なニーズに応ずることが可能となる。
【００２５】
【発明の効果】
請求項１記載の第１の発明においては、吹出口を限界するパネルに上記ルーバ及びその揺動機構を支持するカラーを嵌合設置する嵌合部を設け、この嵌合部とカラーとの間に適宜厚さのスペーサを挿入し又はこのスペーサを取り外すことによってルーバの吹出口における上下位置を変更できるため、スペーサの着脱によってルーバの吹出口における位置を容易に変更することができる。
【００２６】
請求項２記載の第２の発明においては、カムの回転軸への取付方向を変更して偏心量の異なる溝のいずれか一方にリンクの球状突起を係合させることによりリンクの揺動角度範囲、即ち、ルーバの揺動角度範囲を変更することができる。
【図面の簡単な説明】
【図１】  本発明の第１の実施形態を示す吹出口の近傍の縦断面図で、（Ａ）はルーバを上昇させた場合、（Ｂ）はルーバを下降させた場合を示す。
【図２】  本発明の第２の実施形態を示し、（Ａ）は吹出口の近傍の縦断面図、（Ｂ）はルーバの斜視図である。
【図３】  本発明の第３の実施形態を示し、（Ａ）は揺動機構の部分的平面図、（Ｂ）は（Ａ）のＢ−Ｂ線に沿う断面図である。
【図４】  従来の天井埋込型空気調和機の略示的縦断面図である。
【図５】  従来の天井埋込型空気調和機の下面図である。
【図６】  従来の天井埋込型空気調和機の略示的横断面図である。
【図７】  従来のルーバを示す斜視図である。
【図８】  従来のルーバの揺動機構を示し、（Ａ）は部分的平面図、（Ｂ）は（Ａ）のＢ−Ｂ線に沿う断面図である。
【符号の説明】
１      天井
８      パネル
４      吹出口
１４    ルーバ
１５    サポート
１６    鍔
１７    軸
１８    カラー
２１    スペーサ
２０    嵌合部
【図１】
0003637108.tif 000002
【図２】
0003637108.tif 000003
【図３】
0003637108.tif 000004
【図４】
0003637108.tif 000005
【図５】
0003637108.tif 000006
【図６】
0003637108.tif 000007
【図７】
0003637108.tif 000008
【図８】
0003637108.tif 000009